(57)【特許請求の範囲】
【請求項１】
静止側のキャリヤにベアリングを介して回転可能に支持され異なる軸線上に配置された２つのギヤの噛み合いを介して回転連動構成されたギヤ入力回転部材及びギヤ出力回転部材と、
前記ギヤ出力回転部材の両端側に連結され摩擦多板クラッチの締結により駆動力出力調整を行う左右一対のクラッチ出力調整機構部と、
前記クラッチ出力調整機構部に連結されると共に前記キャリヤに形成された開口を貫通して左右の車輪に連動構成された左右一対の車軸と、
を備えた駆動力分配伝達装置において、
前記ギヤ出力回転部材は、外周側にリング・ギヤが設けられると共に両端側外周がベアリングを介し前記キャリヤに回転自在に支持されこの支持の内周に出力インナー・スプラインが設けられ、
前記クラッチ出力調整機構部は、前記摩擦多板クラッチを介在させるクラッチ入力回転部材及びクラッチ出力回転部材を備え、
前記クラッチ入力回転部材は、一端側のクラッチ入力・スプラインが前記出力インナー・スプラインに一体回転可能にスプライン嵌合される結合シャフト部及び該結合シャフト部と一体回転可能なクラッチ・ハウジング部からなり、
前記クラッチ・ハウジング部は、前記結合シャフト部に一体に連結されるシャフト連結縦壁部及び該シャフト連結縦壁部に連結されると共に前記摩擦多板クラッチを内包するハウジング周壁部を備え、
前記シャフト連結縦壁部に、前記結合シャフト部と軸方向に異なる位置で前記クラッチ出力回転部材の一端側を回転可能に支持する軸連繋支持部を一体に設け、
前記クラッチ出力回転部材の他端側に、前記車軸を一体回転可能に挿入連結する中空状のクラッチ出力結合部を設けた、
ことを特徴とする駆動力分配伝達装置。
【請求項２】
請求項１記載の駆動力分配伝達装置であって、
前記クラッチ出力回転部材の他端側は、外周部が前記キャリヤにベアリングを介して支持され、内周部に前記車軸の外周部を支持させた、
ことを特徴とする駆動力分配伝達装置。
【請求項３】
請求項１記載の駆動力分配伝達装置であって、
前記ハウジング周壁部の他端側に、ハウジング連結縦壁部が結合され、
前記ハウジング連結縦壁部の内周部に、前記クラッチ出力回転部材の他端側の外周部を支持させた、
ことを特徴とする駆動力分配伝達装置。
【請求項４】
請求項１又は２記載の駆動力分配伝達装置であって、
前記キャリヤは、前記ギヤ入力回転部材及びギヤ出力回転部材を支持するギヤ・キャリヤと前記クラッチ出力調整機構部を内包するクラッチ・キャリヤとからなり、
前記クラッチ出力調整機構部の一側は、前記シャフト連結縦壁部が前記ギヤ出力回転部材に軸方向へ当接して位置決められ、前記クラッチ出力調整機構部の他側は、前記クラッチ出力回転部材が隙間調整部材を介して前記クラッチ・キャリヤに軸方向へ当接して位置決められた、
ことを特徴とする駆動力分配伝達装置。
【請求項５】
請求項３記載の駆動力分配伝達装置であって、
前記キャリヤは、前記ギヤ入力回転部材及びギヤ出力回転部材を支持するギヤ・キャリヤと前記クラッチ出力調整機構部を内包するクラッチ・キャリヤとからなり、
前記クラッチ出力調整機構部の一側は、前記シャフト連結縦壁部が前記ギヤ出力回転部材に軸方向へ当接して位置決められ、前記クラッチ出力調整機構部の他側は、前記ハウジング連結縦壁部が隙間調整部材を介して前記クラッチ・キャリヤに軸方向へ当接して位置決められた、
ことを特徴とする駆動力分配伝達装置。
【発明の詳細な説明】
【技術分野】
【０００１】
本発明は、入力された駆動力を分配して出力可能な自動車等の駆動力分配伝達装置に関する。
【背景技術】
【０００２】
従来、入力された駆動力を分配して出力可能な自動車等の駆動力分配伝達装置として、二つの調節クラッチを備えた差動装置が知られている。
【０００３】
この差動装置は、エンジン側から入力された駆動力を異なる軸線上に配置された一対のギヤの噛み合いによりに筒状駆動部材へ伝達し、筒状駆動部材の両端部から左右一対のクラッチの締結調整によって左右車輪へ駆動力を分配出力する。
【０００４】
しかし、筒状駆動部材からの出力を受けるクラッチのベル形部材は、その内周側に形成されたギヤ歯で、筒状駆動部材の外周側に形成されたギヤ歯にスプライン連結したものであり、ベル形部材と筒状駆動部材との間の支持連結構造は両端部のスプラインに頼ることになっている。このため、支持安定性に欠けるベル形部材の回転バランスの偏りがクラッチの締結特性に影響を与え易いという問題がある。
【０００５】
また、筒状駆動部材の軸心側には、出力部材の端部外周面が支持された構成であり、この出力部材の端部が筒状駆動部材側に延設されるようにして組付けられている。つまり、筒状駆動部材に対して、ベル形部材と出力部材の端部とを各々組付けることになり、組付け性が悪い。
【０００６】
さらに、クラッチカラーは、その内周に形成されたギヤ歯にて出力部材の外周に形成されたギヤ歯にスプライン連結されている。上記のように、筒状駆動部材の軸心側に出力部材の端部外周面が支持されるので、クラッチカラーの半径方向の支持が不安定となり、上記同様、ベル形部材の偏心回転がクラッチの締結特性に影響を与え易いという問題がある。
【０００７】
【特許文献１】特開平９−３２８０２１号公報
【発明の開示】
【発明が解決しようとする課題】
【０００８】
解決しようとする問題点は、支持安定性の悪さがクラッチの締結特性に影響を与え易く、且つ組付性が悪い点である。
【課題を解決するための手段】
【０００９】
本発明は、クラッチ出力調整機構部の支持安定性及び組付け性を向上するために、静止側のキャリヤにベアリングを介して回転可能に支持され異なる軸線上に配置された２つのギヤの噛み合いを介して回転連動構成されたギヤ入力回転部材及びギヤ出力回転部材と、前記ギヤ出力回転部材の両端側に連結され摩擦多板クラッチの締結により駆動力出力調整を行う左右一対のクラッチ出力調整機構部と、前記クラッチ出力調整機構部に連結されると共に前記キャリヤに形成された開口を貫通して左右の車輪に連動構成された左右一対の車軸とを備えた駆動力分配伝達装置において、前記ギヤ出力回転部材は、外周側にリング・ギヤが設けられると共に両端側外周がベアリングを介し前記キャリヤに回転自在に支持されこの支持の内周に出力インナー・スプラインが設けられ、前記クラッチ出力調整機構部は、前記摩擦多板クラッチを介在させるクラッチ入力回転部材及びクラッチ出力回転部材を備え、前記クラッチ入力回転部材は、一端側のクラッチ入力・スプラインが前記出力インナー・スプラインに一体回転可能にスプライン嵌合される結合シャフト部及び該結合シャフト部と一体回転可能なクラッチ・ハウジング部からなり、前記クラッチ・ハウジング部は、前記結合シャフト部に一体に連結されるシャフト連結縦壁部及び該シャフト連結縦壁部に連結されると共に前記摩擦多板クラッチを内包するハウジング周壁部を備え、前記シャフト連結縦壁部に、前記結合シャフト部と軸方向に異なる位置で前記クラッチ出力回転部材の一端側を回転可能に支持する軸連繋支持部を一体に設け、前記クラッチ出力回転部材の他端側に、前記車軸を一体回転可能に挿入連結する中空状のクラッチ出力結合部を設けたことを最も主要な特徴とする。
【発明の効果】
【００１０】
本発明は、静止側のキャリヤにベアリングを介して回転可能に支持され異なる軸線上に配置された２つのギヤの噛み合いを介して回転連動構成されたギヤ入力回転部材及びギヤ出力回転部材と、前記ギヤ出力回転部材の両端側に連結され摩擦多板クラッチの締結により駆動力出力調整を行う左右一対のクラッチ出力調整機構部と、前記クラッチ出力調整機構部に連結されると共に前記キャリヤに形成された開口を貫通して左右の車輪に連動構成された左右一対の車軸とを備えた駆動力分配伝達装置において、前記ギヤ出力回転部材は、外周側にリング・ギヤが設けられると共に両端側外周がベアリングを介し前記キャリヤに回転自在に支持されこの支持の内周に出力インナー・スプラインが設けられ、前記クラッチ出力調整機構部は、前記摩擦多板クラッチを介在させるクラッチ入力回転部材及びクラッチ出力回転部材を備え、前記クラッチ入力回転部材は、一端側のクラッチ入力・スプラインが前記出力インナー・スプラインに一体回転可能にスプライン嵌合される結合シャフト部及び該結合シャフト部と一体回転可能なクラッチ・ハウジング部からなり、前記クラッチ・ハウジング部は、前記結合シャフト部に一体に連結されるシャフト連結縦壁部及び該シャフト連結縦壁部に連結されると共に前記摩擦多板クラッチを内包するハウジング周壁部を備え、前記シャフト連結縦壁部に、前記結合シャフト部と軸方向に異なる位置で前記クラッチ出力回転部材の一端側を回転可能に支持する軸連繋支持部を一体に設け、前記クラッチ出力回転部材の他端側に、前記車軸を一体回転可能に挿入連結する中空状のクラッチ出力結合部を設けた。
【００１１】
このため、クラッチ入力回転部材の結合シャフト部を中空状のギヤ出力結合部に一体回転可能に挿入連結させることができ、安定支持に必要な連結スパンを無理なく確保することができる。
【００１２】
また、シャフト連結縦壁部の軸連繋支持部にクラッチ出力回転部材の一端側を回転可能に支持させることができ、クラッチ出力回転部材の支持安定性を向上させ、多板摩擦クラッチの安定した締結特性を得ることができる。
【００１３】
前記結合シャフト部と軸方向に異なる位置で前記クラッチ出力回転部材の一端側を軸連繋支持部に回転可能に支持させるため、結合シャフト部を挿入連結させる中空状のギヤ出力結合部を小径に形成し、ギヤ出力回転部材を小径にすることができ、ギヤ出力回転部材をキャリヤに支持させるベアリングを小径にすることができる。従って、装置のコンパクト化が可能となり、且つ支持剛性の確保により耐久性も向上させることができる。
【００１４】
さらに、ギヤ出力回転部材に対する結合シャフト部の結合を中空状のギヤ出力結合部で行わせ、クラッチ出力回転部材に対する車軸の結合を中空状のクラッチ出力結合部で行わせることで、クラッチ出力調整機構部の組み付けを軸方向挿入移動により行わせることができ、組み付け性を向上させることができる。
【発明を実施するための最良の形態】
【００１５】
クラッチ出力調整機構部の支持安定性及び組付け性を向上するという目的を、ギヤ出力回転部材の中空状のギヤ出力結合部と、クラッチ出力回転部材の一端側を回転可能に支持する軸連繋支持部と、車軸を一体回転可能に挿入連結するクラッチ出力回転部材の中空状のクラッチ出力結合部とを設けて実現した。
【実施例１】
【００１６】
［４輪駆動車］
図１は、本発明の実施例１に係り、駆動力分配伝達装置の配置を示し、横置きフロントエンジン、フロントドライブベース（ＦＦベース）の四輪駆動車のスケルトン平面図である。
【００１７】
図１のように、駆動力分配伝達装置１は、後輪車軸３，５間に介設されている。駆動力分配伝達装置１の入力側には、ユニバーサル・ジョイント７を介してプロペラ・シャフト９が連動結合され、前記後輪車軸３，５は、駆動力分配伝達装置１の出力側に連動結合されている。
【００１８】
後輪車軸３，５には、左右の後輪１１，１３が連動結合され、プロペラ・シャフト９には、ユニバーサル・ジョイント１５を介して、トランスファ１７の出力軸１９が結合されている。
【００１９】
出力軸１９の直交ギヤ２１は、伝動軸２３の直交ギヤ２５に噛み合っている。伝動軸２３のヘリカル・ギヤ２７は、ヘリカル・ギヤ２９に噛み合っている。ヘリカル・ギヤ２９は、中空伝動軸３５に設けられ、この中空伝動軸３５は、フロント・デファレンシャル装置３１のデフ・ケース３３に一体回転するように連結して設けられている。
【００２０】
フロント・デファレンシャル装置３１のリング・ギヤ３６には、エンジン３７から電動モータ３９、トランスミッション４１を介して駆動力が入力されるようになっている。フロント・デファレンシャル装置３１には、左右の前輪車軸４５，４７を介して、左右の前輪４９，５１が連動結合されている。
【００２１】
従って、エンジン３７から電動モータ３９、トランスミッション４１を介してフロント・デファレンシャル装置３１のリング・ギヤ３６に駆動力が入力される。リング・ギヤ３６から、一方では、前輪車軸４５，４７を介して左右の前輪４９，５１へ駆動力伝達が行われ、他方では、デフ・ケース３３、中空伝動軸３５、ヘリカル・ギヤ２９，２７、伝動軸２３、直交ギヤ２５，２１を介して出力軸１９へ駆動力伝達が行われる。
【００２２】
出力軸１９からは、ユニバーサル・ジョイント１５、プロペラ・シャフト９、ユニバーサル・ジョイント７を介して駆動力分配伝達装置１へ駆動力が入力される。
【００２３】
従って、駆動力分配伝達装置１が駆動力調整伝達状態であるとき、駆動力分配伝達装置１へ入力された駆動力が駆動力出力調整により左右の後輪車軸３，５を介して左右の後輪１１，１３へ伝達され、前輪４９，５１、後輪１１，１３によって、４輪駆動状態で走行することができる。駆動力分配伝達装置１が、駆動力調整伝達状態にないときには、前輪４９，５１による２輪駆動状態で走行することができる。
【００２４】
なお、駆動力伝達装置１は、エンジン３７や電動モータ３９からの駆動力をプロペラシャフト９を介して伝動されるが、エンジン３７や電動モータ３９とは別の電動モータなどの単独の駆動源と変速機構とを用いてプロペラシャフと９を介さずに駆動させるようにしても良い。
［駆動力分配伝達装置］
駆動力分配伝達装置１の詳細は図２のようになっている。図２は、駆動力分配伝達装置１の横断面図である。
【００２５】
図２のように、駆動力分配伝達装置１は、ギヤ入力回転部材５３及びギヤ出力回転部材５５と、左右一対のクラッチ出力調整機構部５７，５９とを備えている。
［ギヤ入出力回転部材］  
ギヤ入力回転部材５３及びギヤ出力回転部材５５は、ギヤ・キャリヤ６１に回転自在に支持されている。クラッチ出力調整機構部５７，５９は、クラッチ・キャリヤ６３に支持され、このクラッチ・キャリヤ６３は、ギヤ・キャリヤ６１に取り付けられている。ギヤ・キャリヤ６１及びクラッチ・キャリヤ６３は、静止側のキャリヤを構成している。
【００２６】
ギヤ・キャリヤ６１は、ギヤ・キャリヤ本体６２とギヤ・キャリヤカバー６４とからなっている。このギヤ・キャリヤ６１は、ギヤ入力回転部材５３及びギヤ出力回転部材５５を回転自在に支持すると共にギヤ室５６を形成するものであり、入力側支持筒６５及び出力側支持壁６７，６９を備えている。出力側支持壁６７，６９は、内周が段付き状に形成され、一方の出力側支持壁６７は、ギヤ・キャリヤカバー６４に形成され、締結フランジ７１及び取付嵌合部７３を備えてギヤ・キャリヤ本体６２に対し着脱可能に分割構成されている。
【００２７】
取付嵌合部７３は、ギヤ・キャリヤ６１の取付嵌合口７５に嵌合して取り付けられ、締結フランジ７１が、ボルト７７によりギヤ・キャリヤ本体６２の締結結合部７９に着脱自在に締結固定されている。取付嵌合部７３及び取付嵌合口７５間には、オー・リングなどのシール部材８１が介設されている。
【００２８】
出力側支持壁６７，６９の軸方向左右外側には、凹部８０，８２が設けられている。凹部８０，８２は、ギヤ室５６側へ凹むように形成されている。凹部８０，８２の外周側には、キャリヤ結合部８３，８４が出力側支持壁６７，６９に対し一体に設けられている。キャリヤ結合部８３，８４は、キャリヤ取付嵌合口８６，８８を備えている。キャリヤ結合部８３，８４の内周面９０，９２は、テーパー状に傾斜形成されている。
【００２９】
入力側支持筒６５及び出力側支持壁６７，６９間には、前記ギヤ室５６が密閉状に区画形成され、後述するハイポイド・ギヤ組や支持ベアリングなどを潤滑冷却するオイルが封入されており、ギヤ室５６に連通するドレン孔８７に、ドレン・プラグ８９及び図外のフィラー・プラグ孔にフィラー・プラグが取り付けられている。
【００３０】
本実施例では、ギヤ入力回転部材５３及びギヤ出力回転部材５５は、ドライブ・ピニオン・ギヤ９１及びリング・ギヤ９３の噛み合いを介して駆動力伝達可能に連動構成されている。ドライブ・ピニオン・ギヤ９１及びリング・ギヤ９３は、異なる軸線上に配置された２つのギヤであるハイポイド・ギヤ組で構成されている。
【００３１】
なお、異なる軸線上に配置された２つのギヤの例としては、ベベル・ギヤ組、平行ギヤ組、ウォーム・ギヤ組なども含まれ、各ギヤのねじれ角の有無又は度合いは、必要により適宜決定されるものである。
【００３２】
ギヤ入力回転部材５３は、中実のドライブ・ピニオン・シャフトであり、前記ドライブ・ピニオン・ギヤ９１を一体に備えてギヤ・キャリヤ６１の入力側支持筒６５に、テーパー・ローラー・ベアリング９５，９７を介して回転自在に支持されている。ギヤ入力回転部材５３には、前記ユニバーサル・ジョイント７への結合フランジ部材９９が取り付けられている。結合フランジ部材９９の外周面と入力側支持筒６５の端部内周面との間には、シール部材１０１が介設されている。結合フランジ部材９９には、シール部材１０１の外側でダスト・カバー１０３が取り付けられている。
【００３３】
ギヤ出力回転部材５５は、中空軸であり、外周側の中間部に、ギヤ取付フランジ１０５が設けられ、同両端部に軸支持用の段付き状のセンタリング部１０７，１０９が設けられている。ギヤ出力回転部材５５には、前記センタリング部１０７，１０９の内周側に出力インナー・スプライン１１１，１１３を備えた中空状のギヤ出力結合部１１４，１１６が設けられている。
【００３４】
ギヤ出力回転部材５５は、ギヤ取付フランジ１０５に前記リング・ギヤ９３がボルト１１５により締結固定され、センタリング部１０７，１０９が、ギヤ・キャリヤ６１の出力側支持壁６７，６９にベアリングであるテーパー・ローラー・ベアリング１１７，１１９により回転自在に支持されている。
【００３５】
テーパー・ローラー・ベアリング１１７，１１９は、出力側支持壁６７，６９にシム１２０，１２２を介してがたつき無く位置決められている。
【００３６】
テーパー・ローラー・ベアリング１１７，１１９の軸方向外側において出力側支持壁６７，６９とギヤ出力回転部材５５の両端部との間に、シール部材１２１，１２３が介設されている。シール部材１２１，１２３は、前記凹部８０，８２の内周側に位置している。
【００３７】
ギヤ室５６は、シール部材８１，１０１，１２１，１２３によりギヤ・キャリヤ６１内に密閉状に区画され、内部に潤滑オイルとしてギヤ・オイルが封入されている。ギヤ・オイルは、クラッチ出力調整機構部５７，５９の潤滑オイルとは種類が異なっており、相対的に粘度の高いものが使用されている。
［クラッチ出力調整機構部］
左右一対のクラッチ出力調整機構部５７，５９は、左右対称構造に形成されている。このクラッチ出力調整機構部５７，５９は、前記ギヤ出力回転部材５５の両端部に結合され摩擦多板クラッチの締結により駆動力出力調整を行う。
【００３８】
図３は、クラッチ出力調整機構部５９の拡大断面図である。
【００３９】
以下、図３によりクラッチ出力調整機構部５９について説明し、クラッチ出力調整機構部５７については対応する構成部分に同符号を付し、重複説明を省略する。
【００４０】
クラッチ出力調整機構部５９を支持するクラッチ・キャリヤ６３は、ギヤ・キャリヤ６１に取り付けられ、左右一対のクラッチ室１２５を形成するものである。
【００４１】
クラッチ・キャリヤ６３は、軸方向の内端部（図３左端部）にキャリヤ取付嵌合部１２７とキャリヤ締結フランジ１２９とを備え、外端部（図３右端部）に内径側に突出した軸支持部１３０を備えている。
【００４２】
クラッチ・キャリヤ６３の内周面１３２は、軸方向外端側へテーパー状に傾斜形成され、跳ね上げられた潤滑オイルを軸方向外端側方向へ移動ガイドするようになっている。
【００４３】
左右一対のクラッチ室１２５は、相対回転の無い二部材間に介設された後述するシール部材を備えて密閉されている。このクラッチ室１２５には、前記ギヤ室５６のギヤ・オイルよりも粘度が低く、且つ冬場など低温時でも柔らかい異なる種類の潤滑オイルとしてクラッチ・オイルが封入されている。但し、クラッチ室１２５にもギヤ・オイルと同様な潤滑オイルを封入することもできる。
【００４４】
キャリヤ取付嵌合部１２７は、ギヤ・キャリヤ６１のキャリヤ取付嵌合口８８（８６）に嵌合して取り付けられ、キャリヤ締結フランジ１２９が、ボルト１３１によりギヤ・キャリヤ６１のキャリヤ結合部８４（８３）に着脱自在に締結固定されている。キャリヤ取付嵌合部１２７及びキャリヤ取付嵌合口８８（８６）間には、オー・リングなどのシール部材１３３が介設されている。キャリヤ取付嵌合部１２７及びキャリヤ取付嵌合口８８（８６）間に相対回転はなく、相対回転の無い二部材間にシール部材１３３を介設した構成となっている。
【００４５】
クラッチ出力調整機構部５９は、クラッチ入力回転部材１３５及びクラッチ出力回転部材１３７を備え、摩擦多板クラッチで構成されたメイン・クラッチ１３９がクラッチ入出力回転部材１３５，１３７間に介設されている。
【００４６】
クラッチ入力回転部材１３５は、結合シャフト部１４１の外周側にクラッチ・ハウジング部１４３を溶接などにより一体的に設けたものである。結合シャフト部１４１は、ギヤ出力回転部材５５に軸方向移動により着脱自在に連動結合させるものである。この結合シャフト部１４１には、一端部外周にクラッチ入力スプライン１４５が設けられ、他端部にフランジ部１４８が一体に形成されている。フランジ部１４８の外周部には、結合段部１４８ａが形成され、結合段部１４８ａに隣接して段付き状の軸連繋支持部１４７が結合シャフト部１４１と軸方向に異なる位置となるように突設されている。
【００４７】
クラッチ・ハウジング部１４３は、クラッチ・インナー・スプライン１４９を形成したハウジング周壁部１５０を備えると共に一端部にハウジング縦壁部１５１を備えている。ハウジング縦壁部１５１は、結合段部１４８ａに内周部が嵌合し、熔接、接着等により一体的に結合されている。フランジ部１４８及びハウジング縦壁部１５１は、クラッチ・ハウジング部１４３を前記結合シャフト部１４１に連結させるシャフト連結縦壁部を構成している。
【００４８】
ハウジング縦壁部１５１には、ハウジング凹部１５２が形成されている。ハウジング凹部１５２は、ギヤ・キャリヤ６１の出力側支持壁６７，６９側への突出形状に形成されている。この突出形状によりハウジング凹部１５２は、前記クラッチ・ハブ１５７側へ向いた構成となっている。
【００４９】
ハウジング縦壁部１５１は、ギヤ・キャリヤ６１の凹部８２（８０）に左右軸方向に一部入り込んでいる。ハウジング縦壁部１５１の突出形状によりクラッチ・ハウジング部１４３のクラッチ・インナー・スプライン１４９の長さを限られたスペースで維持することができる。
【００５０】
ハウジング周壁部１５０は、結合シャフト部１４１の軸連繋支持部１４７を包囲するように外周側に位置して形成され、このハウジング周壁部１５０に、クラッチ・インナー・スプライン１４９の欠歯などにより第２の連通部としてスリット状の貫通窓１４４が設けられている。貫通窓１４４は、メイン・クラッチ１３９の外側を開放してクラッチ・オイルを内側から外側のクラッチ・キャリヤ６３の内周面１３２側へ流通させることができる。
【００５１】
クラッチ・ハウジング部１４３のハウジング縦壁部１５１には、結合シャフト部１４１とメイン・クラッチ１３９との間で第３の連通部としてハウジング油孔１４６が左右軸方向へ貫通形成されている。
【００５２】
このクラッチ入力回転部材１３５は、結合シャフト部１４１がギヤ出力回転部材５５の端部に嵌合し、クラッチ入力スプライン１４５がギヤ出力回転部材５５の出力インナー・スプライン１１３（１１１）にスプライン係合している。
【００５３】
従って、ギヤ出力回転部材５５及びクラッチ入力回転部材１３５の結合を行う出力インナー・スプライン１１３（１１１）及びクラッチ入力スプライン１４５をテーパー・ローラー・ベアリング１１９（１１７）の内周側に配置することができ、径方向のスペースを有効に活用し、軸方向のコンパクト化を図ることができる。
【００５４】
ギヤ出力回転部材５５及びクラッチ入力回転部材１３５の結合シャフト部１４１間には、オー・リングなどのシール部材１５３が介設されている。ギヤ出力回転部材５５及び結合シャフト部１４１間に相対回転はなく、相対回転の無い二部材間にシール部材１５３を介設した構成となっている。
【００５５】
クラッチ出力回転部材１３７は、クラッチ出力中空軸１５５及びクラッチ・ハブ１５７により形成されている。
【００５６】
クラッチ出力中空軸１５５は、外周面にハブ結合スプライン１５９を備え、端部に段付き状のセンタリング部１６１，１６３を備えている。クラッチ出力中空軸１５５は、中空状に形成され、クラッチ出力回転部材１３７の他端側であるセンタリング部１６３側内周には、車軸結合インナー・スプライン１６５を備えた中空状のクラッチ出力結合部１６６が形成され、外端から車軸である後輪車軸５（３）を挿入して車軸結合インナー・スプライン１６５に連動結合させている。この後輪車軸５（３）は、キャリヤを構成するクラッチ・キャリヤ６３に形成された開口６３ａを貫通して左右の車輪に連動構成されている。
【００５７】
このクラッチ出力中空軸１５５の内端部内周には、閉止部材である閉止プラグ１６７が取り付けられ、クラッチ室１２５の密閉状態を維持させる構成となっている。
【００５８】
クラッチ・ハブ１５７は、外周にクラッチ・スプライン１６９を備え、内周にハブ・インナー・スプライン１７１を備えている。ハブ・インナー・スプライン１７１の端部側には、リング位置決め凹部１７３が形成されている。クラッチ・ハブ１５７には、径方向の中間部から外周に抜ける第１の連通部としてスリット状のハブ貫通部１７０が設けられている。このハブ貫通部１７０は、クラッチ・ハブ１５７のクラッチ・スプライン１６９の部分においては、欠歯等により構成されている。ハブ貫通部１７０は、メイン・クラッチ１３９の内側を開放してクラッチ・オイルを内側からメイン・クラッチ１３９の内周側へ流通させる。
【００５９】
このクラッチ・ハブ１５７は、ハブ・インナー・スプライン１７１がクラッチ出力中空軸１５５のハブ結合スプライン１５９にスプライン結合され、ハブ結合スプライン１５９に取り付けられた止め部材としてのスナップ・リング１７５により軸方向内端側への移動が規制されている。スナップ・リング１７５には、クラッチ・ハブ１５７のリング位置決め凹部１７３が外周側に僅かな隙間をもって嵌合し、スナップ・リング１７５の外周側への広がりが規制されて脱落防止が図られている。
【００６０】
この取り付け状態で、クラッチ・スプライン１６９を備えたクラッチ・ハブ１５７の外周側は、クラッチ・ハウジング部１４３のハウジング縦壁部１５１に近接し、クラッチ・ハブ１５７の端部が、前記ハウジング凹部１５２内に臨んでいる。
【００６１】
従って、クラッチ・ハブ１５７及びハウジング縦壁部１５１間の軸方向でのオーバーラップにより、クラッチ・スプライン１６９を  クラッチ・インナー・スプライン１４９に合わせて長く形成することができる。
【００６２】
従って、クラッチ・ハウジング部１４３及びクラッチ・ハブ１５７間に介設するメイン・クラッチ１３９のプレート枚数を維持し、或いは増設しながら、左右軸方向にコンパクトに形成することができる。このため、左右後輪車軸３，５の取付角度を減少させ、左右後輪車軸のジョイント部の駆動ロス減による発熱抑制やジョイント部の耐久性低下抑制或いは向上を可能とする。
【００６３】
クラッチ出力中空軸１５５の一端側（クラッチ出力回転部材１３７の一端側）であるセンタリング部１６１は、軸受けであるボール・ベアリング１７７を介し、クラッチ入力回転部材１３５の軸連繋支持部１４７に回転自在に連繋支持されている。ボール・ベアリング１７７は、シム１７８及びスナップ・リング（或いはワッシャ）１８０により軸連繋支持部１４７及びセンタリング部１６１にがたつき無く位置決められている。
【００６４】
このクラッチ入力回転部材１３５とクラッチ出力回転部材１３７とのボール・ベアリング１７７による連繋支持は、クラッチ・ハウジング部１４３のハウジング周壁部１５０内周側で行われる。このため、周方向のスペースを有効に活用して軸方向のコンパクト化を図ることができる。これにより、クラッチ出力回転部材１３７に結合する後輪車軸３，５の取付角度を減少させることができ、左右後輪車軸のジョイント部の駆動ロス減による発熱抑制やジョイント部の耐久性低下抑制或いは向上を可能とする。
【００６５】
クラッチ出力中空軸１５５の他端側（クラッチ出力回転部材１３７の他端側）のセンタリング部１６３は、軸受けであるボール・ベアリング１７９を介し、クラッチ・キャリヤ６３の軸支持部１３０に回転自在に支持されている。ボール・ベアリング１７９のアウター・レースとクラッチ・キャリヤ６３との間には、隙間調整部材であるシム１８２が介設されている。
【００６６】
従って、クラッチ出力回転部材１３７の他端側は、外周部が前記キャリヤ（クラッチ・キャリヤ６３）にベアリング（ボール・ベアリング１７９）を介して支持された構成となっている。
【００６７】
また、クラッチ出力調整機構部５９（５７）の一側は、前記シャフト連結縦壁部（フランジ部１４８）が当接面１６０により前記ギヤ出力回転部材５５に軸方向へ当接して位置決められ、クラッチ出力調整機構部５９（５７）の他側は、クラッチ出力回転部材１３７が隙間調整部材（シム１８２）を介して前記クラッチ・キャリヤ６３に軸方向へ当接して位置決められた構成となっている。
【００６８】
ボール・ベアリング１７９の軸方向外側においてクラッチ・キャリヤ６３とクラッチ出力回転部材１３７のクラッチ出力中空軸１５５との間にシール部材１８１が介設されている。
【００６９】
メイン・クラッチ１３９は、アウター・プレート１８３及びインナー・プレート１８５のそれぞれ複数枚からなり、アウター・プレート１８３にペーパー材やカーボン・シートを貼り付けた薄板、カーボン・コーティングの薄板等を用い、インナー・プレート１８５にペーパー材を有しないスチールの厚板を用いている。
【００７０】
メイン・クラッチ１３９の端部には、受圧プレート１８７が配置されている。受圧プレート１８７は、リング位置決め凹部１８９を備え、且つクラッチ・ハブ１５７にスプライン係合している。
【００７１】
この受圧プレート１８７は、クラッチ・ハブ１５７に取り付けられたスナップ・リング１９１により軸方向への移動が規制されている。スナップ・リング１９１には、クラッチ・ハブ１５７のリング位置決め凹部１８９が外周に僅かの隙間をもって嵌合し、スナップ・リング１９１の外周側への広がりが規制されて脱落防止が図られている。
【００７２】
この受圧プレート１８７に対し、前記メイン・クラッチ１３９のペーパー材やカーボン・シートを貼り付けた薄板、カーボン・コーティングの薄板等を用いたアウター・プレート１８３が隣接配置されている。
【００７３】
クラッチ出力調整機構部５９は、前記メイン・クラッチ１３９の他、パイロット・クラッチ１９３、ボール・カム１９５、カム・リング１９７、プレッシャー・プレート１９９、リターン・スプリング２０１、アーマチャ２０３、ロータ２０５、パイロット・クラッチ１９３の操作源である電磁石２０７を備えている。
【００７４】
パイロット・クラッチ１９３は、クラッチ・ハウジング部１４３とカム・リング１９７との間に配置されている。パイロット・クラッチ１９３のアウター・プレートは、クラッチ・ハウジング部１４３のクラッチ・インナー・スプライン１４９にスプライン係合し、同インナー・プレートは、カム・リング１９７のリング・スプライン２０９にスプライン係合している。パイロット・クラッチ１９３のアウター・プレート及びインナー・プレートには、非磁性部となる孔２１０が形成されている。
【００７５】
カム・リング１９７は、クラッチ出力中空軸１５５の外周に相対回転可能に支持され、カム機構であるボール・カム１９５は、プレッシャー・プレート１９９とカム・リング１９７との間に形成されている。カム・リング１９７とプレッシャー・プレート１９９とは、ボール・カム１９５を介して軸方向に対向配置された構成となっている。
【００７６】
プレッシャー・プレート１９９は、メイン・クラッチ１３９に隣接して配置されると共に、クラッチ出力中空軸１５５のハブ結合スプライン１５９にスプライン係合し、クラッチ出力中空軸１５５の外周に回転係合しつつ軸方向押圧移動可能に設けられている。このプレッシャー・プレート１９９は、ボール・カム１９５のカムスラスト力を受けてメイン・クラッチ１３９側へ押圧移動する。
【００７７】
このプレッシャー・プレート１９９に対し、メイン・クラッチ１３９のペーパー材等の無い厚板を用いたインナー・プレート１８５が隣接配置されている。プレッシャー・プレート１９９は、インナー・プレート１８５に対して摺動しないからペーパー材等のない厚板を用いることで、ペーパー材等の省略を図ることができる。
【００７８】
リターン・スプリング２０１は、皿ばねで構成され、クラッチ・ハブ１５７とプレッシャー・プレート１９９との間に介設されている。プレッシャー・プレート１９９は、リターン・スプリング２０１によりメイン・クラッチ１３９の締結解除方向に付勢されている。
【００７９】
カム・リング１９７とロータ２０５との間には、スラスト・ベアリング２１３が配置されている。スラスト・ベアリング２１３は、ボール・カム１９５のカム反力を受けると共に、カム・リング１９７とロータ２０５との間の相対回転を吸収する。
【００８０】
ロータ２０５は、非磁性部２１５を備え、クラッチ出力中空軸１５５の外周に回転自在に支持されている。また、ロータ２０５には、電磁石２０７よりも内径側で左右軸方向に貫通する第４の連通部としてロータ油孔２１８が設けられている。このロータ２０５は、クラッチ出力中空軸１５５に取り付けられた止め部材としてのスナップ・リング２１９により軸方向への移動が規制されている。
【００８１】
アーマチャ２０３はリング状に形成されており、プレッシャー・プレート１９９とパイロット・クラッチ１９３との間に配置されパイロット・クラッチ１９３を挟んでロータ２０５に対向している。軸方向移動自在に配置され、クラッチ・ハウジング部１４３のクラッチ・インナー・スプライン１４９にスプライン係合している。
【００８２】
電磁石２０７は、クラッチ・キャリヤ６３に固定支持され、電磁石２０７のコア２２１とロータ２０５との間には適度なエアギャップが形成されている。このエアギャップ、ロータ２０５、パイロット・クラッチ１９３、アーマチャ２０３によって電磁石２０７の磁路が構成される。電磁石２０７を通電制御すると非磁性部２１５、非磁性部となる孔２１０の周囲からアーマチャ２０３に渡る磁束ループが形成される。
［３室の潤滑空間］
上記のように、ドライブ・ピニオン・ギヤ９１及びリング・ギヤ９３を、密閉状に区画されたギヤ室５６に収容すると共に、メイン・クラッチ１３９を含むクラッチ出力調整機構部５７，５９の主要部を、密閉状に区画された左右一対のクラッチ室１２５にそれぞれ収容し、前記ギヤ室５６及び左右一対のクラッチ室１２５の独立の３室の潤滑空間にそれぞれ潤滑オイルを封入した。
【００８３】
独立の３室には、前記のようにギヤ・キャリヤ６１及びクラッチ・キャリヤ６３間のシール部材１３３、ギヤ・キャリヤ６１及びギヤ出力回転部材５５間のシール部材１２３、ギヤ出力回転部材５５及びクラッチ入力回転部材１３５間のシール部材１５３、クラッチ・キャリヤ６３及びクラッチ出力回転部材１３７間のシール部材１８１のように、複数のシール部材が介設され、このシール部材の介設により独立の３室が密閉状に区画されている。
［その他関連構造］
図４は、クラッチ出力調整機構部の側面図、図５は、ブリーザー組み付け部の拡大断面図、図６は、ドレン・プラグ組み付け部の拡大断面図、図７は、油溝部の拡大断面図、図８は、マグネット回り止め部の拡大断面図、図９は、コネクタ組み付け部の拡大断面図である。
【００８４】
図４のように、フィラー・プラグ２３０は、クラッチ・キャリヤ６３の外周の一部に設けられ、フィラー・プラグ２３０の取付孔の鉛直方向下端は、封入されるオイル・レベル（オイル量）を規定している。
【００８５】
図３，図４，図５のように、クラッチ・キャリヤ６３は、エア抜きのためのブリーザー孔２２３を備え、このブリーザー孔２２３に、ブリーザー・パイプ２２５が取り付けられている。
【００８６】
図３，図４，図６のように、クラッチ・キャリヤ６３は、オイル抜きのためのドレン孔２２７を備え、このドレン孔２２７に、ドレン・プラグ２２９が取り付けられている。
【００８７】
図３，図７のように、クラッチ・キャリヤ６３と電磁石２０７との間に、クラッチ・キャリヤ６３の内周面１３２側から電磁石２０７の背後を通り電磁石２０７の内径側でクラッチ室１２５に連通する第５の連通部として上下方向の油道２３１が設けられている。油道２３１は、複数形成することもできる。クラッチ・キャリヤ６３の内周面１３２により軸方向外側（図３右側）へ移動ガイドされたクラッチ・オイルは、油道２３１により電磁石２０７の外周から背後を通って内周側に至り、ボール・ベアリング１７９の軸方向左右側へ移動可能となる。
【００８８】
図３，図４，図８のように、電磁石２０７は、クラッチ・キャリヤ６３に側面周方向３カ所でボルト２３３により締結固定されている。電磁石２０７のコア２２１背面とクラッチ・キャリヤ６３の内側面との間には、オー・リング等のシール部材２３５が介設されている。
【００８９】
図３，図４，図９のように、クラッチ・キャリヤ６３には、コネクタ貫通孔２３７が設けられ、電磁石２０７のコネクタ部２３９がコネクタ貫通孔２３７からクラッチ・キャリヤ６３外へ突出し、外部接続可能となっている。電磁石２０７のコア２２１背面とクラッチ・キャリヤ６３の内側面との間には、オー・リング等のシール部材２４１が介設されている。
［クラッチ出力調整機構部のサブ・アッセンブリ］  
ギヤ・キャリヤ６１側は、出力側支持壁６７，６９とギヤ出力回転部材５５との間のシール部材１２３の存在により、ギヤ室５６にギヤ・オイルを封入して独立させることができる。
【００９０】
これに対し、クラッチ出力調整機構部５７，５９は、上記構成であり、カップリングとして図３のようにサブ・アッセンブリすることができる。
【００９１】
アッセンブリの形態について再度説明すると、クラッチ・キャリヤ６３は、軸方向の内端部に前記ギヤ・キャリヤ６１に取り付けるためのキャリヤ取付嵌合部１２７及びキャリヤ締結フランジ１２９を備えると共に、同外端部に内径側に突出した軸支持部１３０を備えている。
【００９２】
クラッチ入力回転部材１３５は、前記ギヤ出力回転部材５５への軸方向移動によりスプライン係合を介して着脱自在に連動結合させる結合シャフト部１４１を備えている。
【００９３】
クラッチ入力回転部材１３５の軸連繋支持部１４７が、クラッチ出力回転部材１３７のクラッチ出力中空軸１５５の一端側にボール・ベアリング１７７を介して回転自在に連繋支持され、クラッチ出力中空軸１５５の他端側が、軸支持部１３０にボール・ベアリング１７９を介して回転自在に支持される。
【００９４】
電磁石２０７は、ロータ２０５に隣接してクラッチ・キャリヤ６３に固定支持される。
【００９５】
ロータ２０５及びクラッチ・ハブ１５７は、スナップ・リング２１９，１７５によりクラッチ出力中空軸１５５の外周に位置決められる。
【００９６】
サブ・アッセンブリされたクラッチ出力調整機構部５７，５９は、クラッチ入力回転部材１３５の結合シャフト部１４１を、ギヤ出力回転部材５５端部のギヤ出力結合部１１４，１１６から挿入して出力インナー・スプライン１１１，１１３にクラッチ入力スプライン１４５をスプライン係合させる。
【００９７】
同時に、クラッチ・キャリヤ６３のキャリヤ取付嵌合部１２７をギヤ・キャリヤ６１のキャリヤ取付嵌合口８６，８８にシール部材１３３を介在させて嵌合させる。
【００９８】
次いで、キャリヤ締結フランジ１２９を、ボルト１３１によりギヤ・キャリヤ６１のキャリヤ結合部８４（８３）に締結固定し、サブ・アッセンブリしたクラッチ出力調整機構部５７，５９の組み付けを完了させることができる。
【００９９】
このクラッチ出力調整機構部５７，５９に対して、後輪車軸３，５をクラッチ出力中空軸１５５外端部のクラッチ出力結合部１６６に挿入し、車軸結合インナー・スプライン１６５にスプライン係合させることになる。
【０１００】
後輪車軸３，５を結合させた車軸結合インナー・スプライン１６５部は、グリス潤滑が行われる。このグリス潤滑部に外部から水、埃等が侵入しないように車軸結合インナー・スプライン１６５部の軸方向外端側（図２左右外端側）においてクラッチ出力中空軸１５５及び後輪車軸３，５間にオー・リング等を介設することが望ましい。
［メイン・クラッチの締結制御］
メイン・クラッチ１３９の締結制御は、電磁石２０７の通電制御により行われる。
【０１０１】
各種センサーによって検知した路面状態、車両の発進、加速、旋回のような走行条件及び操舵条件などに応じて、コントローラが左右の電磁石２０７の通電制御を統合して行う。この制御により、左右のクラッチ出力調整機構部５７，５９の出力トルクがそれぞれ調整される。
【０１０２】
電磁石２０７が励磁されると、上記の磁束ループによってアーマチャ２０３が吸引され、ロータ２０５との間でパイロット・クラッチ１９３を締結し、パイロット・トルクを発生させる。パイロット・トルクが発生すると、パイロット・クラッチ１９３によってクラッチ・ハウジング部１４３に連結されたカム・リング１９７が共に回転しようとする。
【０１０３】
これに対し、プレッシャー・プレート１９９は、クラッチ出力中空軸１５５を介し後輪車軸３，５側に係合しているため、カム・リング１９７及びプレッシャー・プレート１９９間に相対回転が起こると、ボール・カム１９５の働きによりカム・リング１９７及びプレッシャー・プレート１９９が軸方向へ離間するようにスラスト力を受ける。
【０１０４】
このスラスト力は、一方においてスラスト・ベアリング２１３及びロータ２０５を介してスナップ・リング２１９に入力され、他方においてプレッシャー・プレート１９９、メイン・クラッチ１３９、スナップ・リング１９１、クラッチ・ハブ１５７を介してスナップ・リング１７５に入力される。
【０１０５】
両スナップ・リング２１９，１７５への入力は、共にクラッチ出力中空軸１５５に入力され、その結果メイン・クラッチ１３９がプレッシャー・プレート１９９及び受圧プレート１８７間で締結調整される。このようにカムスラスト力をクラッチ出力中空軸１５５で確実に受けることができる。
【０１０６】
電磁石２０７の通電制御が無くなるとボール・カム１９５のカムスラスト力が無くなり、クラッチ・ハブ１５７及びプレッシャー・プレート１９９間でのリターン・スプリング２０１の付勢力によりプレッシャー・プレート１９９がメイン・クラッチ１３９から離間するように移動する。このプレッシャー・プレート１９９の離間移動によりメイン・クラッチ１３９の締結制御が解除される。
［駆動力伝達］
クラッチ出力調整機構部５７，５９が、電磁石２０７の通電制御により締結調整されると、プロペラ・シャフト９側からギヤ入力回転部材５３に入力された駆動力が、ドライブ・ピニオン・ギヤ９１、リング・ギヤ９３、ギヤ出力回転部材５５を介して左右のクラッチ出力調整機構部５７，５９のクラッチ入力回転部材１３５へ入力される。
【０１０７】
クラッチ入力回転部材１３５への入力は、クラッチ・ハウジング部１４３、メイン・クラッチ１３９、クラッチ・ハブ１５７へと伝達され、クラッチ出力回転部材１３７から出力される。
【０１０８】
クラッチ出力調整機構部５７，５９のクラッチ出力回転部材１３７から出力された駆動力は、左右後輪車軸３，５を介して後輪１１，１３へ伝達される。
【０１０９】
従って、前後輪４９，５１，１１，１３の４輪駆動状態で走行することができる。このとき、走行条件及び操舵条件によりメイン・クラッチ１３９が締結調整され、左右後輪１１，１３の適度な差動回転調整から差動ロック、さらには左右別々の伝達トルク調整による車両旋回姿勢の始出まで自由に制御することができる。このような制御により、ヨー・コントロールなどによる操舵性、走行性、悪路走行での走破性等を向上させることができる。
【０１１０】
クラッチ出力調整機構部５７，５９が駆動力出力状態に無ければ前輪４９，５１による２輪駆動状態で走行することができる。
【０１１１】
駆動力伝達時に、後輪車軸３，５側から軸方向に入力される突き上げ力は、クラッチ出力中空軸１５５に伝達される。クラッチ出力中空軸１５５からは、センタリング部１６１、ボール・ベアリング１７７、軸連繋支持部１４７を介してクラッチ入力回転部材１３５へと伝達され、このクラッチ入力回転部材１３５からギヤ出力回転部材５５に入力される。ギヤ出力回転部材５５に入力された突き上げ力は、テーパー・ローラー・ベアリング１１７，１１９を介して出力側支持壁６７，６９に入力され、強度のあるギヤ・キャリヤ６１により確実に受けることができる。
［潤滑］
潤滑オイルは、ギヤ室５６及び左右のクラッチ室１２５に回転軸心のレベルまで充填されている。
【０１１２】
ギヤ室５６では、リング・ギヤ９３の回転によりギヤ・オイルが跳ね上げられ、ドライブ・ピニオン・ギヤ９１及びリング・ギヤ９３間の噛合部及びテーパー・ローラー・ベアリング９５，９７の潤滑が行われる。
【０１１３】
クラッチ室１２５では、クラッチ入出力回転部材１３５，１３７等の回転によりクラッチ・オイルが跳ね上げられる。
【０１１４】
跳ね上げられたクラッチ・オイルは、クラッチ・ハブ１５７のハブ貫通部１７０を通って外周側へ移動し、メイン・クラッチ１３９等を潤滑しながらクラッチ・ハウジング部１４３の貫通窓１４４を通り、キャリヤ結合部８３，８４の内周面９０，９２及びクラッチ・キャリヤ６３の内周面１３２側へと移動する。
【０１１５】
内周面９０，９２，１３２側へ移動したクラッチ・オイルは、一方の内周面１３２の傾斜により軸方向外側方向（図３右側方向）へ移動ガイドされ、他方の内周面９０，９２の傾斜により軸方向内側方向（図３の左側方向）へ移動ガイドされる。
【０１１６】
内周面１３２で移動ガイドされたクラッチ・オイルは、電磁石２０７周囲の油道２３１（図７）を通り、ボール・ベアリング１７９の軸方向左右側へ移動する。ロータ２０５の背後へ移動したクラッチ・オイルは、ロータ２０５のロータ油孔２１８からカム・リング１９７側へさらに移動する。
【０１１７】
このようなクラッチ・オイルの移動によりボール・ベアリング１７９、シール部材１８１周辺，ロータ２０５及びクラッチ出力中空軸１５５間、スラスト・ベアリング２１３、パイロット・クラッチ１９３、ボール・カム１９５等を十分に潤滑することができる。
【０１１８】
内周面９０，９２で移動がイドされたクラッチ・オイルは、ギヤ・キャリヤ６１の出力側支持壁６７，６９とクラッチ・ハウジング部１４３との間に至り、ハウジング油孔１４６からクラッチ・ハウジング部１４３内側へ戻る。
【０１１９】
クラッチ・オイルの移動ガイドは、内周面９０，９２，１３２等にガイド用の樋を設けて行う構成にすることもできる。ガイド用の樋は、クラッチ・オイルに作用する回転力と重力とを考慮し、クラッチ・オイルを集中して受けられる箇所に設けることが望ましい。
【０１２０】
このようなクラッチ・オイルの流れ移動によりメイン・クラッチ１３９やパイロット・クラッチ１９３の摺動による温度上昇を抑制することができる。
【０１２１】
特に、旋回走行時や左右傾斜走行時等において車体が左右に傾斜しても、或いは大きな左右Ｇを受ける場合でも、左右一対の独立したクラッチ室１２５及び中央のギヤ室５６間で潤滑オイルの移動はなく、潤滑オイルが１室に片寄ることなく、独立した３室の潤滑空間に封入した潤滑オイルをそれぞれ保持させることができる。
【０１２２】
パイロット・クラッチ１９３の操作源は、電磁石に限られるものではなく、油圧シリンダ・ピストン、電動モータなども含まれる。これらの操作源は、クラッチ・キャリヤ６３に一体的に固定することでクラッチの締結操作を確実に行うことができる。
［実施例１の効果］
本発明実施例１は、静止側のギヤ・キャリヤ６１にテーパー・ローラー・ベアリング９５，９７，１１７，１１９を介して回転可能に支持され異なる軸線上に配置されたドライブ・ピニオン・ギヤ９１及びリング・ギヤ９３の噛み合いを介して回転連動構成されたギヤ入力回転部材５３及びギヤ出力回転部材５５と、前記ギヤ出力回転部材５５の両端側に連結されメイン・クラッチ１３９の締結により駆動力出力調整を行う左右一対のクラッチ出力調整機構部５７，５９と、前記クラッチ出力調整機構部５７，５９に連結されると共に前記クラッチ・キャリヤ６３に形成された開口６３ａを貫通して左右の車輪に連動構成された左右一対の後輪車軸３，５とを備えた駆動力分配伝達装置１において、前記ギヤ出力回転部材５５には、外周側にリング・ギヤ９３が設けられると共に端部のセンタリング部１０７，１０９内周側に出力インナー・スプライン１１１，１１３を備えた中空状のギヤ出力結合部１１４，１１６が設けられ、前記クラッチ出力調整機構部５７，５９は、前記メイン・クラッチ１３９を介在させるクラッチ入力回転部材１３５及びクラッチ出力回転部材１３７を備え、前記クラッチ入力回転部材１３５は、一端側に前記ギヤ出力結合部１１４，１１６に一体回転可能に挿入連結される結合シャフト部１４１及び該結合シャフト部１４１と一体回転可能なクラッチ・ハウジング部１４３からなり、前記クラッチ・ハウジング部１４３は、前記結合シャフト部１４１に連結されるシャフト連結縦壁部（フランジ部１４８及びハウジング縦壁部１５１）及び該シャフト連結縦壁部に連結されると共に前記メイン・クラッチ１３９を内包するハウジング周壁部１５０を備え、前記シャフト連結縦壁部のフランジ部１４８に、前記結合シャフト部１４１と軸方向に異なる位置で前記クラッチ出力回転部材１３７の一端側を回転可能に支持する軸連繋支持部１４７を設け、前記クラッチ出力回転部材１３７の他端側のセンタリング部１６３内周側に、前記後輪車軸３，５を一体回転可能に挿入連結する車軸結合インナー・スプライン１６５を備えた中空状のクラッチ出力結合部１６６を設けた。
【０１２３】
このため、クラッチ入力回転部材１３５の結合シャフト部１４１を中空状のギヤ出力回転部材５５に一体回転可能に挿入連結させることができ、安定支持に必要な連結スパンを無理なく確保することができる。
【０１２４】
また、シャフト連結縦壁部としてのフランジ部１４８の軸連繋支持部１４７にクラッチ出力回転部材１３７の一端側を回転可能に支持させることができ、クラッチ出力回転部材１３７の支持安定性を向上させ、メイン・クラッチ１３９の安定した締結特性を得ることができる。
【０１２５】
前記結合シャフト部１４１と軸方向に異なる位置で前記クラッチ出力回転部材１３７の一端側を軸連繋支持部１４７に回転可能に支持させるため、結合シャフト部１４１を挿入連結させる中空状のギヤ出力回転部材５５を小径に形成することができ、ギヤ出力回転部材５５をギヤ・キャリヤ６１に支持させるテーパー・ローラー・ベアリング１１７，１１９を小径にすることができる。従って、装置のコンパクト化が可能となり、且つ支持剛性の確保により耐久性も向上させることができる。
【０１２６】
さらに、ギヤ出力回転部材５５に対する結合シャフト部１４１の結合を中空状のギヤ出力結合部１１４，１１６で行わせ、クラッチ出力回転部材１３７に対する後輪車軸３，５の結合を中空状のクラッチ出力結合部１６６で行わせることで、クラッチ出力調整機構部５７，５９の組み付けを軸方向挿入移動により行わせることができ、組み付け性を向上させることができる。
【０１２７】
前記クラッチ出力回転部材１３７の他端側は、外周部が前記クラッチ・キャリヤ６３にボール・ベアリング１７９を介して支持され、前記軸連繋支持部１４７に、前記クラッチ出力回転部材１３７の他端側の外周部を支持させた。
【０１２８】
従って、クラッチ出力回転部材１３７と後輪車軸３，５との両方の支持安定性を向上させることができる。
【０１２９】
キャリヤは、前記ギヤ入力回転部材５３及びギヤ出力回転部材５５を支持するギヤ・キャリヤ６１と前記クラッチ出力調整機構部５７，５９を内包するクラッチ・キャリヤ６３とからなり、前記クラッチ出力調整機構部５７，５９の一側は、前記シャフト連結縦壁部のフランジ部１４８が前記ギヤ出力回転部材５５に軸方向へ当接して位置決められ、前記クラッチ出力調整機構部５７，５９の他側は、前記クラッチ出力回転部材１３７がボール・ベアリング１７９及びシム１８２を介して前記クラッチ・キャリヤ６３に軸方向へ当接して位置決められた。
【０１３０】
従って、クラッチ出力調整機構部５７，５９の軸方向両側への位置決めを確実かつ適正に行い、ドライブ・ピニオン・ギヤ９１及びリング・ギヤ９３の噛合いによる軸方向振動や、後輪車軸３，５からの入力される軸方向力をギヤ・キャリヤ６１とクラッチ・キャリヤ６３との間で確実に受け止めることができ、クラッチ締結特性への影響を抑制することができる。
【実施例２】
【０１３１】
図１０，図１１は、本発明の実施例２に係り、図１０は、駆動力分配伝達装置の横断面図、図１１は、クラッチ出力調整機構部の拡大断面図である。なお、基本的な構造は、実施例１と同様であり、同一又は対応する構成部分には、同符号又は同符号にＡを付し、重複した説明は省略する。必要な場合は実施例１に付記された符号とその構成形状や機能を参酌する。なお、図１の車両スケルトン図についても同様に参酌する。
【０１３２】
本実施例の駆動力分配伝達装置１Ａにおいても、ギヤ出力回転部材５５には、センタリング部１０７，１０９の内周側に出力インナー・スプライン１１１，１１３を備えた中空状のギヤ出力結合部１１４，１１６が設けられている。
【０１３３】
また、本実施例の駆動力分配伝達装置１Ａは、左右一対のクラッチ出力調整機構部５７Ａ，５９Ａを、シールド・カップリングとして構成したものであり、左右一対のクラッチ室１２５Ａが、クラッチ入力回転部材１３５Ａとクラッチ出力回転部材１３７Ａとの間に密閉状に区画形成されている。
［クラッチ出力調整機構部］
前記左右一対のクラッチ出力調整機構部５７Ａ，５９Ａは、左右対称構造に形成されている。このクラッチ出力調整機構部５７Ａ，５９Ａは、前記ギヤ出力回転部材５５の両端部に結合され摩擦多板クラッチであるメイン・クラッチ１３９Ａの締結により駆動力出力調整を行う。
【０１３４】
以下、図１１によりクラッチ出力調整機構部５９Ａについて説明し、クラッチ出力調整機構部５７Ａについては対応する構成部分に同符号を付し、重複説明を省略する。
【０１３５】
クラッチ出力調整機構部５９Ａが内包されているクラッチ・キャリヤ６３Ａは、ギヤ・キャリヤ６１に取り付けられ、前記クラッチ室１２５Ａの周囲に、前記ギヤ・キャリヤ６１とギヤ出力回転部材５５とクラッチ・キャリヤ６３Ａとクラッチ出力回転部材１３７Ａとの間で密閉状に区画形成された包囲空間２４３が設けられている。
【０１３６】
前記包囲空間２４３には、前記クラッチ室１２５Ａを冷却するための冷媒、例えば一般的なクーラント液、オイル、空気などの冷却用気体等が収容されている。
【０１３７】
前記クラッチ室１２５Ａには、前記ギヤ室５６のギヤ・オイルよりも粘度が低く、且つ冬場など低温時でも柔らかい異なる種類の潤滑オイルとしてクラッチ・オイルが封入されている。但し、クラッチ室１２５Ａにもギヤ・オイルと同様な潤滑オイルを封入することもできる。
【０１３８】
前記クラッチ出力調整機構部５９Ａには、摩擦多板クラッチで構成されたメイン・クラッチ１３９Ａがクラッチ入出力回転部材１３５Ａ，１３７Ａ間に介設されている。
【０１３９】
本実施例のクラッチ入力回転部材１３５Ａは、結合シャフト部１４１Ａの端部外周側にクラッチ・ハウジング部１４３Ａを一体に形成したものであり、シャフト連結縦壁部のフランジ部１４８Ａ及びハウジング縦壁部１５１Ａが一体に結合されている。
【０１４０】
軸連繋支持部１４７Ａの内周側には、ボール・ベアリング１６１の外周で軸方向に貫通する油溝１４７Ａａが設けられている。ハウジング縦壁部１５１Ａには、オイル注入孔２４５が形成され、スチール・ボール２４７で閉止されている。クラッチ室１２５Ａ内への潤滑オイルの注入は、オイル注入孔２４５から行われている。
【０１４１】
クラッチ・ハウジング部１４３Ａには、ハウジング連結縦壁部としてのロータ２０５Ａが螺合結合され、ナット２４９により緩み止めが行われている。クラッチ・ハウジング部１４３Ａとロータ２０５Ａとの間には、クラッチ室１２５Ａを密閉状とするためのシール部材２５１が介設されている。しかし、クラッチ・ハウジング部１４３Ａとロータ２０５Ａとの間には、熔接や接着などの他の固定手段を用いることもできる。
【０１４２】
前記クラッチ入力回転部材１３５Ａの一端である結合シャフト部１４１Ａは、前記ギヤ出力回転部材５５及びテーパー・ローラー・ベアリング１１９を介してギヤ・キャリヤ６１の出力側支持壁６９に支持されると共に他端であるロータ２０５Ａは、ボール・ベアリング１７９Ａ及び電磁石２０７Ａのコア２２１Ａを介して前記クラッチ・キャリヤ６３Ａの支持部１３０Ａに支持されている。電磁石２０７Ａの背面とクラッチ・キャリヤ６３Ａとの間には、隙間調整部材としてのシム１８２Ａが介設されている。
【０１４３】
前記クラッチ出力回転部材１３７Ａは、クラッチ出力中空軸部１５５Ａ及びクラッチ・ハブ１５７Ａが一体に形成されたものであり、センタリング部１６１Ａ，１６３Ａを備えている。
【０１４４】
クラッチ出力回転部材１３７Ａは、中空に形成され、クラッチ出力中空軸部１５５Ａ側の内周には、クラッチ出力結合部１６６の車軸結合インナー・スプライン１６５が形成されている。このクラッチ出力結合部１６６側の外端から後輪車軸５（３）を挿入して車軸結合インナー・スプライン１６５に連動結合させるものである。この後輪車軸５（３）は、キャリヤを構成するクラッチ・キャリヤ６３Ａに形成された開口６３Ａを貫通して左右の車輪に連動構成されている。
【０１４５】
クラッチ出力回転部材１３７Ａのクラッチ・ハブ１５７Ａには、外周にクラッチ・スプライン１６９Ａが形成されている。クラッチ・ハブ１５７Ａ側内端部内周には、閉止部材である閉止プラグ１６７が取り付けられ、クラッチ室１２５Ａの密閉状態を維持させる構成となっている。なお、クラッチ・ハブ１５７Ａにおける密閉手段としては、別部材の閉止プラグ１６７に代えて、クラッチ・ハブ１５７の内周に設ける一体の隔壁にすることもできる。
【０１４６】
クラッチ出力回転部材１３７Ａの一方のセンタリング部１６１Ａは、軸受けであるボール・ベアリング１７７を介し、クラッチ入力回転部材１３５Ａの軸連繋支持部１４７Ａに回転自在に連繋支持されている。ボール・ベアリング１７７は、シム１７８及びスナップ・リング（或いはワッシャ）１８０により軸連繋支持部１４７Ａ及びセンタリング部１６１Ａにがたつき無く位置決められている。
【０１４７】
クラッチ出力回転部材１３７Ａの他方のセンタリング部１６３Ａは、軸受けであるニードル・ベアリング２５３を介し、ロータ２０５Ａの内周に相対回転自在に支持されている。
【０１４８】
従って、クラッチ出力回転部材１３７Ａの両端は、前記クラッチ入力回転部材１３５Ａに支持された構成となっている。
【０１４９】
また、ハウジング連結縦壁部としてのロータ２０５Ａの内周部に、前記クラッチ出力回転部材１３７Ａの他端側の外周部を支持させた構成となっている。
【０１５０】
さらに、クラッチ出力回転部材１３７Ａの他端側は、外周部が前記クラッチ・キャリヤ６３Ａにボール・ベアリング１７９Ａを介して支持され、内周部に前記後輪車軸３，５の外周部を支持させた構成となっている。
【０１５１】
前記ニードル・ベアリング２５３の軸方向外側位置でロータ２０５Ａ及びクラッチ出力中空軸１５５Ａ間に、クラッチ室１２５Ａを密閉状とするためのＸリングなどのシール部材２５５が介設されている。従って、前記のように左右一対のクラッチ室１２５Ａが、クラッチ入力回転部材１３５Ａとクラッチ出力回転部材１３７Ａとの間にシール部材２５１，２５５、閉止プラグ１６７を介して密閉状に区画形成されたものである。
【０１５２】
駆動力伝達装置１Ａ側に向いた後輪車軸５からの移動は、後輪車軸５及びクラッチ出力回転部材１３７Ａ間の当接面１５８とボール・ベアリング１７７とクラッチ入力回転部材１３５Ａ及びギヤ出力回転部材５５間の当接面１６０とによって規制される。
【０１５３】
このため、移動に伴う過大な入力を受けた場合も、テーパー・ローラー・ベアリング１１７（１１９）からギヤ・キャリヤ６１に力を伝達することで支えることができる。また、クラッチ入力回転部材１３５Ａは、一端側が電磁石２２１Ａを介してクラッチ・キャリヤ６３Ａに当接し、他端側は、当接面１６０を介してギヤ出力回転部材５５に当接することで軸方向両方向の位置決めが的確に行われている。
【０１５４】
メイン・クラッチ１３９Ａは、アウター・プレート１８３Ａ及びインナー・プレート１８５Ａのそれぞれ複数枚からなり、アウター・プレート１８３Ａにペーパー材を有しないスチールの厚板を用い、インナー・プレート１８５Ａにペーパー材やカーボン・シートを貼り付けた薄板、カーボン・コーティングの薄板等を用いている。
【０１５５】
メイン・クラッチ１３９Ａの端部は、アウター・プレート１８３Ａがクラッチ・ハウジング部１４３Ａのハウジング縦壁部１５１Ａに当接して受けられる構成となっている。
【０１５６】
クラッチ出力調整機構部５９Ａは、前記メイン・クラッチ１３９Ａの他、パイロット・クラッチ１９３Ａ、ボール・カム１９５Ａ、カム・リング１９７Ａ、プレッシャー・プレート１９９Ａ、アーマチャ２０３Ａ、前記ロータ２０５Ａ及びパイロット・クラッチ１９３Ａの操作源である前記電磁石２０７Ａを備えている。
【０１５７】
このクラッチ出力調整機構部５９Ａの一側は、前記シャフト連結縦壁部としてのハウジング縦壁部１５１Ａが前記ギヤ出力回転部材５５に軸方向へ当接して位置決められ、前記クラッチ出力調整機構部５９Ａの他側は、前記ハウジング連結縦壁部としてのロータ２０５Ａがボール・ベアリング１７９Ａ、電磁石２０７Ａ、隙間調整部材としてのシム１８２Ａを介して前記クラッチ・キャリヤ６３Ａに軸方向へ当接して位置決められている。
［３室の潤滑空間］
上記のように、ドライブ・ピニオン・ギヤ９１及びリング・ギヤ９３を、密閉状に区画されたギヤ室５６に収容すると共に、メイン・クラッチ１３９Ａを含むシールド・カップリングとしてのクラッチ出力調整機構部５７Ａ，５９Ａを、密閉状に区画された左右一対の包囲空間２４３内にそれぞれ収容し、前記ギヤ室５６及び左右一対のクラッチ室１２５Ａの独立の３室の潤滑空間にそれぞれ潤滑オイルを封入した。
【０１５８】
独立の３室には、ギヤ・キャリヤ６１及びギヤ出力回転部材５５間のシール部材１２３、クラッチ・ハウジング部１４３Ａ及びロータ２０５Ａ間のシール部材２５１、クラッチ出力回転部材１３７Ａ及びロータ２０５Ａ間のシール部材２５５、クラッチ入力回転部材１３５Ａ及びクラッチ出力回転部材１３７Ａ間の閉止プラグ１６７のように、複数のシール部材が介設され、これらシール部材１２３，２５１，２５５，１６７の介設により独立の３室が密閉状に区画されている。
［クラッチ出力調整機構部のサブ・アッセンブリ］  
ギヤ・キャリヤ６１側は、出力側支持壁６７，６９とギヤ出力回転部材５５との間のシール部材１２３の存在により、ギヤ室５６にギヤ・オイルを封入して独立させることができる。
【０１５９】
これに対し、クラッチ出力調整機構部５７Ａ，５９Ａは、上記構成であり、シールド・カップリングとして図１１のようにサブ・アッセンブリすることができる。
【０１６０】
アッセンブリの形態について簡単に説明すると、クラッチ・キャリヤ６３Ａは、軸方向の内端部に前記ギヤ・キャリヤ６１に取り付けるためのキャリヤ取付嵌合部１２７及びキャリヤ締結フランジ１２９を備えると共に、同外端部に内径側に突出した支持部１３０Ａを備えている。
【０１６１】
クラッチ入力回転部材１３５Ａは、前記ギヤ出力回転部材５５への軸方向移動によりスプライン係合を介して着脱自在に連動結合させる結合シャフト部１４１Ａを備えている。
【０１６２】
クラッチ入力回転部材１３５Ａの軸連繋支持部１４７Ａに、クラッチ出力回転部材１３７Ａの一端側がボール・ベアリング１７７を介して回転自在に連繋支持され、クラッチ出力回転部材１３７Ａの他端側が、ロータ２０５Ａにニードル・ベアリング２５３を介して回転自在に支持される。
【０１６３】
電磁石２０７Ａは、ボール・ベアリング１７９Ａを介してロータ２０５Ａに結合され、クラッチ・キャリヤ６３Ａに固定支持される。
【０１６４】
サブ・アッセンブリされたクラッチ出力調整機構部５７Ａ，５９Ａは、クラッチ入力回転部材１３５Ａの結合シャフト部１４１Ａを、ギヤ出力回転部材５５の端部から挿入して出力インナー・スプライン１１１，１１３にクラッチ入力スプライン１４５をスプライン係合させる。
【０１６５】
同時に、クラッチ・キャリヤ６３Ａのキャリヤ取付嵌合部１２７をギヤ・キャリヤ６１のキャリヤ取付嵌合口８６，８８にシール部材１３３を介在させて嵌合させる。
【０１６６】
次いで、キャリヤ締結フランジ１２９を、ボルト１３１によりギヤ・キャリヤ６１のキャリヤ結合部８３，８４に締結固定し、サブ・アッセンブリしたクラッチ出力調整機構部５７Ａ，５９Ａの組み付けを完了させることができる。
【０１６７】
このクラッチ出力調整機構部５７Ａ，５９Ａに対して、後輪車軸３，５をクラッチ出力中空軸１５５Ａの外端部から挿入し、車軸結合インナー・スプライン１６５にスプライン係合させることになる。
［メイン・クラッチの締結制御］
メイン・クラッチ１３９Ａの締結制御は、電磁石２０７Ａの通電制御により行われる。
【０１６８】
各種センサーによって検知した路面状態、車両の発進、加速、旋回のような走行条件及び操舵条件などに応じて、コントローラが電磁石２０７Ａの通電制御を行う。
【０１６９】
電磁石２０７Ａが励磁されると、アーマチャ２０３Ａが吸引され、ロータ２０５Ａとの間でパイロット・クラッチ１９３Ａを締結し、パイロット・トルクを発生させる。パイロット・トルクが発生すると、パイロット・クラッチ１９３Ａによってクラッチ・ハウジング部１４３Ａに連結されたカム・リング１９７Ａが共に回転しようとする。
【０１７０】
これに対し、プレッシャー・プレート１９９Ａは、クラッチ・ハブ１５７Ａを介し後輪車軸３，５側に係合しているため、カム・リング１９７Ａ及びプレッシャー・プレート１９９Ａ間に相対回転が起こると、ボール・カム１９５Ａの働きによりカム・リング１９７Ａ及びプレッシャー・プレート１９９Ａが軸方向へ離間するようにスラスト力を受ける。
【０１７１】
このスラスト力は、一方においてスラスト・ベアリング２１３を介してロータ２０５Ａに入力され、他方においてプレッシャー・プレート１９９Ａ、メイン・クラッチ１３９Ａを介してハウジング縦壁部１５１Ａに入力される。
【０１７２】
従って、カムスラスト力はクラッチ・ハウジング部１４３Ａにより受けられ、その結果メイン・クラッチ１３９Ａがプレッシャー・プレート１９９Ａ及びハウジング縦壁部１５１Ａ間で締結調整される。
【０１７３】
電磁石２０７Ａの通電制御が無くなるとボール・カム１９５Ａのカムスラスト力が無くなり、メイン・クラッチ１３９Ａの締結制御が解除される。
［潤滑］
潤滑オイルは、ギヤ室５６内の下方でリング・ギヤ９３の歯幅方向全体が浸るようなレベルまで、及び左右のクラッチ室１２５Ａに回転軸心を越えるレベルまで充填されている。
【０１７４】
ギヤ室５６では、リング・ギヤ９３の回転によりギヤ・オイルが跳ね上げられ、ドライブ・ピニオン・ギヤ９１及びリング・ギヤ９３間の噛合部及びテーパー・ローラー・ベアリング９５，９７の潤滑が行われる。
【０１７５】
クラッチ室１２５Ａでは、クラッチ入出力回転部材１３５Ａ，１３７Ａ間に封入されたクラッチ・オイルにより各部が潤滑される。
【０１７６】
メイン・クラッチ１３９Ａの摺動などによりクラッチ出力調整機構部５７Ａ，５９Ａが発熱したときは、クラッチ室１２５Ａ内のオイルの熱がクラッチ・ハウジング部１４３Ａを介して包囲空間２４３内のクーラント液、オイル、空気などの冷却用気体等に逃がされる。クーラント液、オイル、空気などの冷却用気体等に逃がされた熱は、クラッチ・キャリヤ６３Ａ等を介して外部へ放熱される。
【０１７７】
従って、クラッチ出力調整機構部５７Ａ，５９Ａの温度上昇を抑制し、適切なクラッチ出力調整を行わせることができる。
【０１７８】
なお、クラッチ出力調整機構部５７Ａ，５９Ａの温度は、例えば、包囲空間内に熱電対などの温度センサーを配置することにより上述した潤滑オイル、気体の温度を測定し、或いはギヤ・キャリヤ６１Ａやクラッチ・キャリヤ６３Ａに配置した温度センサーにより温度を測定することで推定センシングすることが可能である。
［実施例２の効果］
本実施例においても、実施例１と同様に、クラッチ出力調整機構部５７Ａ，５９Ａの支持安定性及び組付け性を向上させることができる。
【０１７９】
又本実施例では、ハウジング周壁部１５０Ａの他端側に、ハウジング連結縦壁部としてのロータ２０５Ａが結合され、前記ロータ２０５Ａの内周部に、前記クラッチ出力回転部材１３７Ａの他端側の外周部をニードル・ベアリング２５３により支持させた。
【０１８０】
このため、クラッチ出力回転部材１３７Ａの支持安定性を向上させることができる。
【実施例３】
【０１８１】
図１２，図１３は、本発明の実施例３に係り、図１２は、駆動力分配伝達装置の横断面図、図１３は、クラッチ出力調整機構部の拡大断面図である。なお、基本的な構造は、実施例２と同様であり、同一又は対応する構成部分には、同符号又は同符号にＢを付し、或いは同符号のＡをＢに代えて付し、重複した説明は省略する。
【０１８２】
本実施例の駆動力分配伝達装置１Ｂにおいても、ギヤ出力回転部材５５には、センタリング部１０７，１０９の内周側に出力インナー・スプライン１１１，１１３を備えた中空状のギヤ出力結合部１１４，１１６が設けられている。
【０１８３】
結合シャフト部１４１Ｂの端部外周側には、シャフト連結縦壁部のフランジ部１４８Ｂ及びハウジング縦壁部１５１Ｂが一体に結合され、クラッチ・ハウジング部１４３Ｂが一体に形成されている。
【０１８４】
クラッチ・ハウジング部１４３Ｂには、ハウジング連結縦壁部としてのロータ２０５Ｂが螺合結合され、ナット２４９により緩み止めが行われている。
【０１８５】
ハウジング連結縦壁部であるロータ２０５Ｂの内周部には、クラッチ出力回転部材１３７Ｂの他端側の外周部がニードル・ベアリング２５３を介して支持されている。
【０１８６】
従って、クラッチ出力回転部材１３７Ｂの他端側は、外周部が前記クラッチ・キャリヤ６３Ｂにボール・ベアリング１７９Ｂを介して支持され、内周部に前記後輪車軸５（３）の外周部を支持させた構成となっている。この後輪車軸５（３）は、キャリヤを構成するクラッチ・キャリヤ６３Ｂに形成された開口６３Ｂａを貫通して左右の車輪に連動構成されている。
【０１８７】
また、クラッチ出力調整機構部５９Ｂの一側は、前記シャフト連結縦壁部としてのハウジング縦壁部１５１Ｂが前記ギヤ出力回転部材５５に軸方向へ当接して位置決められ、前記クラッチ出力調整機構部５９Ｂの他側は、前記ハウジング連結縦壁部としてのロータ２０５Ｂがボール・ベアリング１７９Ｂ、電磁石２０７Ｂ、隙間調整部材としてのシム１８２Ｂを介して前記クラッチ・キャリヤ６３Ｂに軸方向へ当接して位置決められている。
【０１８８】
なお、ギヤ・キャリヤ６１Ｂの後端に内外壁６１Ｂａ、６１Ｂｂが閉断面状に設けられ、内外壁６１Ｂａ、６１Ｂｂ間に連通路２５５を設けて左右の包囲空間２４３Ｂを連通させている。連通路２５５は、外壁６１Ｂｂに沿って上下に渡り形成されている。
【０１８９】
ギヤ・キャリヤ６１Ｂに設けられた左右のクラッチ・キャリヤ６３Ｂを結合するためのキャリヤ結合部８４（８３）は、外壁６１Ｂｂに渡るように形成されている。このキャリヤ結合部８４（８３）に結合するために、クラッチ・キャリヤ６３Ｂには、後方へ拡大した傾斜壁２５７が形成されている。
【０１９０】
従って、メイン・クラッチ１３９Ｂの摺動などによりクラッチ出力調整機構部５７Ｂ，５９Ｂが発熱したときは、クラッチ室１２５Ｂ内のクラッチ・オイルの熱がクラッチ・ハウジング部１４３Ｂを介して包囲空間２４３Ｂ内のクーラント液、オイル、空気などの冷却用気体等に逃がされる。
【０１９１】
しかも、左右の包囲空間２４３Ｂを連通路２５５により連通させたので、包囲空間２４３Ｂを拡大することができ、左右何れかのクラッチ室１２５Ｂが昇温した場合にも、冷媒を介し左右のクラッチ室１２５Ｂ間で熱の分散を行わせることができる。
【０１９２】
特に、冷媒として代替フロンなどを用いると、昇温したクラッチ室１２５Ｂ側周囲の包囲空間２４３Ｂで冷媒が蒸発して熱を奪い、この蒸気が他方の低温側の包囲空間２４３Ｂ側へ連通路２５５を介して移動し、低温側で凝縮して熱を放出するといったヒート・ポンプ・サイクルを行わせることができ、より確実な冷却を行わせることができる。
【０１９３】
クラッチ・キャリヤ６３Ｂの傾斜壁２５７は、包囲空間２４３Ｂを拡大し、冷却効果を高めることができる。
【０１９４】
そして、本実施例においても、実施例１と同様に、クラッチ出力調整機構部５７Ｂ，５９Ｂの支持安定性及び組付け性を向上させることができる。
【０１９５】
又本実施例では、ハウジング周壁部１５０Ｂの他端側に、ハウジング連結縦壁部としてのロータ２０５Ｂが結合され、前記ロータ２０５Ｂの内周部に、前記クラッチ出力回転部材１３７Ｂの他端側の外周部をニードル・ベアリング２５３により支持させた。
【０１９６】
このため、クラッチ出力回転部材１３７Ｂの支持安定性を向上させることができる。
【実施例４】
【０１９７】
図１４，図１５は、本発明の実施例４に係り、図１４は、駆動力分配伝達装置の横断面図、図１５は、クラッチ出力調整機構部の拡大断面図である。なお、基本的な構造は、実施例２と同様であり、同一又は対応する構成部分には、同符号又は同符号にＣを付し、重複した説明は省略する。
【０１９８】
本実施例の駆動力分配伝達装置１Ｃにおいても、ギヤ出力回転部材５５には、センタリング部１０７，１０９の内周側に出力インナー・スプライン１１１，１１３を備えた中空状のギヤ出力結合部１１４，１１６が設けられている。
【０１９９】
結合シャフト部１４１Ｃの端部外周側には、シャフト連結縦壁部のフランジ部１４８Ｃ及びハウジング縦壁部１５１Ｃが一体に結合され、クラッチ・ハウジング部１４３Ｃが一体に形成されている。
【０２００】
クラッチ・ハウジング部１４３Ｃには、ハウジング連結縦壁部としてのロータ２０５Ｃが螺合結合され、ナット２４９により緩み止めが行われている。
【０２０１】
ハウジング連結縦壁部であるロータ２０５Ｃの内周部には、クラッチ出力回転部材１３７Ｃの他端側の外周部がニードル・ベアリング２５３を介して支持されている。
【０２０２】
従って、クラッチ出力回転部材１３７Ｃの他端側は、外周部が前記クラッチ・キャリヤ６３Ｃにボール・ベアリング１７９Ｃを介して支持され、内周部に前記後輪車軸５（３）の外周部を支持させた構成となっている。この後輪車軸５（３）は、キャリヤを構成するクラッチ・キャリヤ６３Ｃに形成された開口６３Ｃａを貫通して左右の車輪に連動構成されている。
【０２０３】
また、クラッチ出力調整機構部５９Ｃの一側は、前記シャフト連結縦壁部としてのハウジング縦壁部１５１Ｃが前記ギヤ出力回転部材５５に軸方向へ当接して位置決められ、前記クラッチ出力調整機構部５９Ｃの他側は、前記ハウジング連結縦壁部としてのロータ２０５Ｃがボール・ベアリング１７９Ｃ、電磁石２０７Ｃ、隙間調整部材としてのシム１８２Ｃを介して前記クラッチ・キャリヤ６３Ｃに軸方向へ当接して位置決められている。
【０２０４】
なお、出力側支持壁６７，６９に、開口２５９を設けてクラッチ・キャリヤ６３Ｃ内をギヤ室５６に連通させている。
【０２０５】
潤滑オイルは、ギヤ室５６及び包囲空間２４３Ｃと左右のクラッチ室１２５Ｃとに回転軸心のレベルまで充填されている。
【０２０６】
従って、ギヤ室５６内の潤滑オイルをクラッチ入力回転部材１３５Ｃのクラッチ・ハウジング部１４３Ｃに接触させることができ、左右一対のクラッチ出力調整機構部５７Ｃ，５９Ｃの冷却を行い、クラッチ特性を安定させることができる。同時に、ギヤ室５６内の潤滑オイル自体の昇温を抑制して、潤滑オイルの劣化を防止し、入出力ギヤの噛合部の表面への潤滑オイルの浸透を適正に行うことができる。
【０２０７】
そして、本実施例においても、実施例１と同様に、クラッチ出力調整機構部５７Ｃ，５９Ｃの支持安定性及び組付け性を向上させることができる。
【０２０８】
又本実施例では、ハウジング周壁部１５０Ｃの他端側に、ハウジング連結縦壁部としてのロータ２０５Ｃが結合され、前記ロータ２０５Ｃの内周部に、前記クラッチ出力回転部材１３７Ｃの他端側の外周部をニードル・ベアリング２５３により支持させた。
【０２０９】
このため、クラッチ出力回転部材１３７Ｃの支持安定性を向上させることができる。
【図面の簡単な説明】
【０２１０】
【図１】横置きフロントエンジン、フロントドライブベース（ＦＦベース）の四輪駆動車のスケルトン平面図である（実施例１）。
【図２】駆動力分配伝達装置の横断面図である（実施例１）。
【図３】クラッチ出力調整機構部の拡大断面図である（実施例１）。
【図４】クラッチ出力調整機構部の側面図である（実施例１）。
【図５】ブリーザー組み付け部の拡大断面図である（実施例１）。
【図６】ドレン・プラグ組み付け部の拡大断面図である（実施例１）。
【図７】油溝部の拡大断面図である（実施例１）。
【図８】マグネット回り止め部の拡大断面図である（実施例１）。
【図９】コネクタ組み付け部の拡大断面図である（実施例１）。
【図１０】駆動力分配伝達装置の横断面図である（実施例２）。
【図１１】クラッチ出力調整機構部の拡大断面図である（実施例２）。
【図１２】駆動力分配伝達装置の横断面図である（実施例３）。
【図１３】クラッチ出力調整機構部の拡大断面図である（実施例３）。
【図１４】駆動力分配伝達装置の横断面図である（実施例４）。
【図１５】クラッチ出力調整機構部の拡大断面図である（実施例４）。
【符号の説明】
【０２１１】
１，１Ａ，１Ｂ，１Ｃ  駆動力分配伝達装置
３，５  後輪車軸（車軸）
５３  ギヤ入力回転部材
５５  ギヤ出力回転部材
５７，５７Ａ，５７Ｂ，５７Ｃ，５９，５９Ａ，５９Ｂ，５９Ｃ  クラッチ出力調整機構
６１，６１Ｂ，６１Ｃ  ギヤ・キャリヤ（静止側のキャリヤ）
６３，６３Ａ，６３Ｂ，６３Ｃ  クラッチ・キャリヤ（静止側のキャリヤ）
６３ａ，６３Ａａ，６３Ｂａ，６３Ｃａ  開口
９１  ドライブ・ピニオン・ギヤ（異なる軸線上に配置された２つのギヤ）
９３  リング・ギヤ（異なる軸線上に配置された２つのギヤ）
９５，９７，１１７，１１９  テーパー・ローラー・ベアリング（ベアリング）
１１１，１１３  出力インナー・スプライン（ギヤ出力結合部）
１１４，１１６  ギヤ出力結合部
１１７，１１９  テーパー・ローラー・ベアリング（ベアリング）
１３５，１３５Ａ，１３５Ｂ，１３５Ｃ  クラッチ入力回転部材
１３７，１３７Ａ，１３７Ｂ，１３７Ｃ  クラッチ出力回転部材
１３９，１３９Ａ，１３９Ｂ，１３９Ｃ  メイン・クラッチ（摩擦多板クラッチ）
１４１，１４１Ａ，１４１Ｂ，１４１Ｃ  結合シャフト部
１４８，１４８Ａ，１４８Ｂ，１４８Ｃ  フランジ部（シャフト連結縦壁部）
１５０Ａ，１５０Ｂ，１５０Ｃ  ハウジング周壁部
１５１，１５１Ａ，１５１Ｂ，１５１Ｃ  ハウジング縦壁部（シャフト連結縦壁部）
１５５，１５５Ａ，１５５Ｂ，１５５Ｃ  クラッチ出力中空軸（クラッチ出力回転部材）
１５７，１５７Ａ，１５７Ｂ，１５７Ｃ  クラッチ・ハブ（クラッチ出力回転部材）
１６５  車軸結合インナー・スプライン（クラッチ出力結合部）
１６６  クラッチ出力結合部
１８２，１８２Ａ，１８２Ｂ，１８２Ｃ  シム（隙間調整部材）
２０５Ａ，２０５Ｂ，２０５Ｃ  ロータ（ハウジング連結縦壁部）
【図１】
0005036522.tif 000002
【図２】
0005036522.tif 000003
【図３】
0005036522.tif 000004
【図４】
0005036522.tif 000005
【図５】
0005036522.tif 000006
【図６】
0005036522.tif 000007
【図７】
0005036522.tif 000008
【図８】
0005036522.tif 000009
【図９】
0005036522.tif 000010
【図１０】
0005036522.tif 000011
【図１１】
0005036522.tif 000012
【図１２】
0005036522.tif 000013
【図１３】
0005036522.tif 000014
【図１４】
0005036522.tif 000015
【図１５】
0005036522.tif 000016